(57)【要約】【課題】本発明は、簡単な構成により、建物の空調装置からの空気をより確実にかご室内に送り込むことを目的とするものである。【解決手段】可動ダクト１５は、開放位置と閉鎖位置との間で回転可能になっている。閉鎖機構１８は、かご８の走行中に発生する風力により、可動ダクト１５を閉鎖位置に変位させる。かご８が停止すると、羽根１９ｂが風を受けなくなるため、開放ばね１７の復元力により可動ダクト１５は開放位置まで回転する。かご８が停止階に停止しているとき、即ち可動ダクト１５が開放位置にあるとき、取り込み口１５ａは、吹き出し口１２ｂに対して間隔をおいて対向している。【選択図】図３
2017171488.tif 000002
【特許請求の範囲】
【請求項１】
かご室を有しており、昇降路内を昇降するかご、
前記昇降路内に設けられている吹き出し口を有しており、建物に設けられた空調装置からの空気が流される建物側ダクト、及び
前記かご室に設けられており、前記かごが停止階に停止しているときに前記吹き出し口から吹き出す空気を前記かご室内に導入する空気導入機構
を備え、
前記空気導入機構は、
開放位置と閉鎖位置との間で変位可能に前記かご室に設けられている可動ダクトと、
前記可動ダクトを前記開放位置に変位させる開放ばねと、
前記かごの走行中に発生する風力により前記開放ばねに抗して前記可動ダクトを前記閉鎖位置に変位させる閉鎖機構とを有しており、
前記可動ダクトは、前記吹き出し口から吹き出す空気を取り込む取り込み口を有しており、
前記開放位置は、前記取り込み口が前記かご室外に露出し開放される位置であり、
前記閉鎖位置は、前記取り込み口が閉鎖される位置であり、
前記かごが前記停止階に停止すると、前記開放ばねにより前記可動ダクトが前記開放位置に変位し、前記取り込み口が前記吹き出し口に対して間隔をおいて対向するエレベータ装置。
【請求項２】
前記可動ダクトは、前記かご室の天井に回転可能に設けられており、前記開放位置にあるときに前記かご室上に突出し、前記閉鎖位置にあるときに前記天井の下に埋没する請求項１記載のエレベータ装置。
【請求項３】
前記閉鎖機構は、前記かごの走行時に風を受けて回転する羽根車を有している請求項１又は請求項２に記載のエレベータ装置。
【請求項４】
前記閉鎖機構は、前記羽根車と前記可動ダクトとの間に接続されており、前記羽根車が回転することにより前記羽根車に巻き取られる紐をさらに有している請求項３記載のエレベータ装置。
【請求項５】
かご室を有しており、昇降路内を昇降するかご、
前記昇降路内に設けられている吹き出し口を有しており、建物に設けられた空調装置からの空気が流される建物側ダクト、
前記かご室に設けられており、前記かごが停止階に停止しているときに前記吹き出し口から吹き出す空気を前記かご室内に導入するかご側ダクト、及び
前記吹き出し口に設けられており、前記吹き出し口を開閉する蓋装置
を備え、
前記かご側ダクトは、前記吹き出し口から吹き出す空気を取り込む取り込み口を有しており、
前記蓋装置は、前記かごが前記停止階に移動することにより前記かご室に搭載された機器又は前記かご室自体により操作されて前記吹き出し口を開放し、
前記かご側ダクト内には、前記かご側ダクト内と前記かご室内との間の流路を開閉する開閉部材が設けられており、
前記かごが前記停止階に着床すると、前記取り込み口が前記吹き出し口に対して間隔をおいて対向し、前記吹き出し口から吹き出す空気により前記開閉部材が開放動作して前記流路が開放されるエレベータ装置。
【請求項６】
前記停止階には、最上階、最下階及び中間階が含まれており、
前記吹き出し口は、前記最上階及び前記最下階に１つずつ、前記中間階に２つ配置されており、
前記蓋装置には、前記かごの上昇により操作される上昇時用蓋装置と、前記かごの下降により操作される下降時用蓋装置とが含まれており、
前記最上階の前記吹き出し口には、前記上昇時用蓋装置が設けられており、
前記最下階の前記吹き出し口には、前記下降時用蓋装置が設けられており、
前記中間階の吹き出し口には、前記上昇時用蓋装置及び前記下降時用蓋装置がそれぞれ設けられている請求項５記載のエレベータ装置。
【請求項７】
前記かご側ダクトは、前記かご室の上部に設けられており、
前記上昇時用蓋装置は、前記かご室に搭載された機器である前記かご側ダクトにより操作される請求項６記載のエレベータ装置。
【請求項８】
前記下降時用蓋装置は、前記かご室の下部により操作される請求項６又は請求項７に記載のエレベータ装置。
【請求項９】
前記蓋装置は、
前記吹き出し口に対して回転することにより前記吹き出し口を開閉する蓋本体と、
前記蓋本体に回転可能に連結されており、かつ前記蓋本体に対して鈍角をなしている連結板と、
前記蓋本体と前記連結板との連結部に設けられている捻りばねとを有しており、
前記蓋本体及び前記連結板は、上下に並べて配置されており、
前記蓋本体及び前記連結板のなす角度は、前記捻りばねの弾性変形の範囲で、大きくなる方向へ変化可能である請求項５から請求項８までのいずれか１項に記載のエレベータ装置。
【請求項１０】
前記取り込み口の開口面積は、前記吹き出し口の開口面積よりも大きい請求項１から請求項９までのいずれか１項に記載のエレベータ装置。
【発明の詳細な説明】
【技術分野】
【０００１】
この発明は、建物に設置された空調装置からの空気をかご室内に取り込むエレベータ装置に関するものである。
【背景技術】
【０００２】
従来のエレベータ装置では、昇降路内に設けられている複数の空気吹き出し口と複数の排気口とによって、停止階に停止しているかごの上下にそれぞれエアカーテンを発生させる。昇降路内の上下のエアカーテン間の空間には、建物用空調装置からの空気が空調ダクトを介して送り込まれる。かご室上には、エアカーテン間の空気をかご室内に取り込む空気取り入れ用ファンが設けられている（例えば、特許文献１参照）。
【０００３】
しかし、上記のような従来のエレベータ装置では、昇降路内にエアカーテンを発生させる必要があるため、装置構成が大掛かり、かつ複雑である。また、例えば鉄骨で組み立てられた昇降路のように壁がない昇降路では、建物用空調装置から昇降路内に送り込まれた空気をかごの周囲に留めることができず、空調効果が得られない。
【０００４】
これに対して、従来の他のエレベータ装置では、かご室に第１のダクトが設けられており、空調装置に接続された第２のダクトが昇降路に設けられている。そして、かごが停止階に停止すると、第１のダクトと第２のダクトとが連結機構により連結される。また、第１のダクトの先端には、第２のダクトが連結されていないときに第１のダクトを閉じる先端弁が設けられている（例えば、特許文献２参照）。
【先行技術文献】
【特許文献】
【０００５】
【特許文献１】特開平６−２７８９７２号公報
【特許文献２】特開２００７−８４１９３号公報
【発明の概要】
【発明が解決しようとする課題】
【０００６】
しかし、特許文献２のエレベータ装置では、第１のダクトと第２のダクトとを連結する必要があり、連結機構のコストが高くなる。また、第１のダクトと第２のダクトとを連結するため、かごを精度良く着床させる必要があり、かごの着床精度が悪くなると、第１のダクトを第２のダクトに連結することができず、空調装置からの空気をかご室内に上手く送り込めなくなる。
【０００７】
この発明は、上記のような課題を解決するためになされたものであり、簡単な構成により、建物の空調装置からの空気をより確実にかご室内に送り込むことができるエレベータ装置を得ることを目的とする。
【課題を解決するための手段】
【０００８】
この発明に係るエレベータ装置は、かご室を有しており、昇降路内を昇降するかご、昇降路内に設けられている吹き出し口を有しており、建物に設けられた空調装置からの空気が流される建物側ダクト、及びかご室に設けられており、かごが停止階に停止しているときに吹き出し口から吹き出す空気をかご室内に導入する空気導入機構を備え、空気導入機構は、開放位置と閉鎖位置との間で変位可能にかご室に設けられている可動ダクトと、可動ダクトを開放位置に変位させる開放ばねと、かごの走行中に発生する風力により開放ばねに抗して可動ダクトを閉鎖位置に変位させる閉鎖機構とを有しており、可動ダクトは、吹き出し口から吹き出す空気を取り込む取り込み口を有しており、開放位置は、取り込み口がかご室外に露出し開放される位置であり、閉鎖位置は、取り込み口が閉鎖される位置であり、かごが停止階に停止すると、開放ばねにより可動ダクトが開放位置に変位し、取り込み口が前記吹き出し口に対して間隔をおいて対向する。
【発明の効果】
【０００９】
この発明のエレベータ装置は、開放ばねと、かごの走行中に発生する風力を利用する閉鎖機構とにより、可動ダクトが開放位置と閉鎖位置との間を変位し、開放位置では可動ダクトの取り込み口が建物側ダクトの吹き出し口に対して間隔をおいて対向するので、簡単な構成により、建物の空調装置からの空気をより確実にかご室内に送り込むことができる。
【図面の簡単な説明】
【００１０】
【図１】この発明の実施の形態１によるエレベータ装置を示す概略の側面図である。
【図２】図２は図１のＩＩ−ＩＩ線に沿う断面図である。
【図３】図１の空気導入機構を拡大して示す側面図である。
【図４】かごの走行中の図３の空気導入機構の状態を示す側面図である。
【図５】この発明の実施の形態２によるエレベータ装置を示す概略の側面図である。
【図６】図５のＶＩ−ＶＩ線に沿う断面図である。
【図７】図６の上昇時用蓋装置を拡大して示す正面図である。
【図８】図７の上昇時用蓋装置を示す側面図である。
【図９】図８の上昇時用蓋装置の開放動作を示す説明図である。
【図１０】図９のかごがさらに上昇した状態を示す説明図である。
【図１１】図１０のかごがさらに上昇した状態を示す説明図である。
【図１２】図１１のかごがさらに上昇した状態を示す説明図である。
【図１３】図６の下降時用蓋装置を拡大して示す正面図である。
【図１４】図１３の下降時用蓋装置を示す側面図である。
【図１５】図１４の下降時用蓋装置の開放動作を示す説明図である。
【図１６】図１５のかごがさらに下降した状態を示す説明図である。
【図１７】図１６のかごがさらに下降した状態を示す説明図である。
【図１８】図１７のかごがさらに下降した状態を示す説明図である。
【図１９】図１８のかごがさらに下降した状態を示す説明図である。
【図２０】図１９のかごがさらに下降した状態を示す説明図である。
【図２１】図５のかごが中間階に移動した状態を示す側面図である。
【図２２】図２１のＸＸＩＩ−ＸＸＩＩ線に沿う断面図である。
【図２３】図２１のかごが最上階に移動した状態を示す側面図である。
【図２４】図２３のＸＸＩＶ−ＸＸＩＶ線に沿う断面図である。
【発明を実施するための形態】
【００１１】
以下、この発明を実施するための形態について、図面を参照して説明する。
実施の形態１．
図１はこの発明の実施の形態１によるエレベータ装置を示す概略の側面図、図２は図１のＩＩ−ＩＩ線に沿う断面図である。図において、昇降路１の上部には、機械室２が設けられている。機械室２には、巻上機３、そらせ車４及びエレベータ制御装置５が設置されている。
【００１２】
巻上機３は、駆動シーブ６と、駆動シーブ６を回転させる巻上機モータ（図示せず）と、駆動シーブ６の回転を制動する巻上機ブレーキ（図示せず）とを有している。駆動シーブ６及びそらせ車４には、懸架体７が巻き掛けられている。懸架体７としては、複数本のロープ又は複数本のベルトが用いられている。
【００１３】
懸架体７の第１の端部には、かご８が接続されている。かご８は、懸架体７に接続されているかご枠（図示せず）と、かご枠に支持されているかご室８ａとを有している。懸架体７の第２の端部には、釣合おもり９が接続されている。かご８及び釣合おもり９は、懸架体７により昇降路１内に吊り下げられており、駆動シーブ６を回転させることにより昇降路１内を昇降する。
【００１４】
巻上機３は、エレベータ制御装置５により制御されている。即ち、かご８の運転は、エレベータ制御装置５により制御されている。かご８とエレベータ制御装置５との間には、可撓性の制御ケーブル１０が接続されている。制御ケーブル１０は、昇降路１内に吊り下げられている。
【００１５】
かご室８ａ内の空気温度を調節する空調装置１１は、かご８ではなく、建物に設置されている。この例では、空調装置１１は、昇降路１の最上部に設置されている。建物には、空調装置１１からの空気、即ち温風又は冷風が流される建物側ダクト１２が設けられている。建物側ダクト１２は、空調装置１１に接続されている導入端部１２ａと、昇降路１内の停止階に対応する位置に設けられている複数の吹き出し口１２ｂとを有している。この例では、吹き出し口１２ｂは、乗場ドア１３の上方にそれぞれ配置されている。
【００１６】
かご室８ａ上には、空気導入機構１４が設けられている。空気導入機構１４は、かご８が停止階に停止しているときに、吹き出し口１２ｂから吹き出す温風又は冷風をかご室８ａ内に導入する。
【００１７】
図３は図１の空気導入機構１４を拡大して示す側面図であり、かご８が停止しているときの状態を示している。図４はかご８の走行中の図３の空気導入機構１４の状態を示す側面図である。
【００１８】
空気導入機構１４は、可動ダクト１５、蝶番１６、開放ばね１７及び閉鎖機構１８を有している。可動ダクト１５は、蝶番１６を介して回転可能にかご室８ａの天井８ｂに取り付けられている。可動ダクト１５は、吹き出し口１２ｂから吹き出す温風又は冷風を取り込む取り込み口１５ａを有している。
【００１９】
また、可動ダクト１５は、開放位置（図３）と閉鎖位置（図４）との間で回転可能になっている。開放位置は、可動ダクト１５が天井８ｂ上に突出し、取り込み口１５ａがかご室８ａ外に露出する位置である。閉鎖位置は、可動ダクト１５が天井８ｂの下に埋没し、取り込み口１５ａが閉鎖される位置である。
【００２０】
開放ばね１７は、かご室８ａと可動ダクト１５との間に設けられており、可動ダクト１５を開放位置に回転させる力を可動ダクト１５に付与する。閉鎖機構１８は、開放ばね１７に抗して、可動ダクト１５を閉鎖位置に回転させる。
【００２１】
閉鎖機構１８は、羽根車１９及び紐２０を有している。羽根車１９は、かご室８ａの側面に取り付けられている。また、羽根車１９は、かご室８ａの幅方向に平行かつ水平な軸を中心として回転可能である。さらに、羽根車１９は、その回転軸と同軸に設けられている巻き取り部１９ａと、巻き取り部１９ａの外周に設けられている複数の羽根１９ｂとを有している。
【００２２】
紐２０は、巻き取り部１９ａに接続されている基端部２０ａと、可動ダクト１５に接続されている先端部２０ｂとを有している。
【００２３】
羽根車１９は、かご８の走行時に羽根１９ｂが風を受けることにより回転する。羽根車１９が回転することにより、紐２０が巻き取り部１９ａに巻き取られ、可動ダクト１５が閉鎖位置に回転する。このように、閉鎖機構１８は、かご８の走行中に発生する風力により、可動ダクト１５を閉鎖位置に変位させる。
【００２４】
可動ダクト１５は、閉鎖位置まで回転すると停止するが、かご８の走行中は羽根１９ｂが風を受け続けるため、閉鎖機構１８により閉鎖位置に保持される。かご８が停止すると、羽根１９ｂが風を受けなくなるため、開放ばね１７の復元力により可動ダクト１５は開放位置まで回転する。
【００２５】
かご８が停止階に停止しているとき、即ち可動ダクト１５が開放位置にあるとき、取り込み口１５ａは、吹き出し口１２ｂに対して間隔をおいて対向している。また、取り込み口１５ａの開口面積は、吹き出し口１２ｂの開口面積よりも大きい。この例では、取り込み口１５ａの開口面積は、吹き出し口１２ｂの開口面積の２倍以上である。さらに、かご８が停止階に停止しているとき、可動ダクト１５の内壁上面１５ｂは、吹き出し口１２ｂに対向し、かつ吹き出し口１２ｂ側が上となるように傾斜している。
【００２６】
このようなエレベータ装置では、開放ばね１７と、かご８の走行中に発生する風力を利用する閉鎖機構１８とにより、可動ダクト１５が開放位置と閉鎖位置との間を変位し、開放位置では取り込み口１５ａが吹き出し口１２ｂに対して間隔をおいて対向するので、簡単な構成により、建物の空調装置１１からの空気をより確実にかご室８ａ内に送り込むことができる。
【００２７】
また、空調装置１１をかご室８ａ上に設置する必要がないため、天井８ｂ上のスペースの制約を解消することができるとともに、かご８の軽量化を図ることができる。
さらに、制御ケーブル１０に含まれる電力供給線及び信号線の数を少なくすることができる。
さらにまた、空調装置１１を建物側に設置することにより、空調装置１１の保守作業を容易にすることができる。
【００２８】
また、かご８が停止階に停止しているときに、吹き出し口１２ｂから可動ダクト１５に温風又は冷風が導入されるので、昇降路１が鉄骨構造であっても壁構造であっても、空調装置１１からの空気をより確実にかご室８ａ内に送り込むことができる。
【００２９】
さらに、かご８の走行時に風を受けて回転する羽根車１９を用いたので、簡単な構成により、かご８の走行中に可動ダクト１５を閉鎖位置に変位させておくことができる。
さらにまた、羽根車１９と可動ダクト１５とを紐２０により繋いだので、簡単な構成により、羽根車１９の回転を可動ダクト１５に伝達することができる。
また、取り込み口１５ａの開口面積が吹き出し口１２ｂの開口面積よりも大きいので、かご８の着床精度がある程度低下しても、空調装置１１からの空気をより確実にかご室８ａ内に送り込むことができる。また、建物側ダクト１２及び可動ダクト１５の据付精度を低下させることもできる。
【００３０】
実施の形態２．
次に、図５はこの発明の実施の形態２によるエレベータ装置の概略の側面図、図６は図５のＶＩ−ＶＩ線に沿う断面図である。実施の形態２では、中間階に２つの吹き出し口１２ｂが配置されている。最上階及び最下階には、吹き出し口１２ｂが１つずつ配置されている。
【００３１】
中間階の吹き出し口１２ｂには、上昇時用蓋装置３１及び下降時用蓋装置３２がそれぞれ設けられている。最上階の吹き出し口１２ｂには、上昇時用蓋装置３１が設けられている。最下階の吹き出し口１２ｂには、下降時用蓋装置３２が設けられている。上昇時用蓋装置３１及び下降時用蓋装置３２は、対応する吹き出し口１２ｂを開閉する。また、上昇時用蓋装置３１及び下降時用蓋装置３２は、かご８が停止階に移動することによりかご室８ａに搭載された機器又はかご室８ａ自体により操作されて、対応する吹き出し口１２ｂを開放する。
【００３２】
かご室８ａの上部には、かご８が停止階に停止しているときに吹き出し口１２ｂから吹き出す空気をかご室８ａ内に導入するかご側ダクト３３が設けられている。かご側ダクト３３は、吹き出し口１２ｂから吹き出す温風又は冷風を取り込む取り込み口３３ａを有している。
【００３３】
取り込み口３３ａの開口面積は、吹き出し口１２ｂの開口面積よりも大きい。この例では、取り込み口３３ａの開口面積は、吹き出し口１２ｂの開口面積の２倍以上である。
【００３４】
かご８が停止階に停止しているとき、取り込み口３３ａは、吹き出し口１２ｂに対して間隔をおいて対向している。また、かご側ダクト３３の内壁上面は、吹き出し口１２ｂ側が上となるように傾斜している。
【００３５】
図７は図６の上昇時用蓋装置３１を拡大して示す正面図、図８は図７の上昇時用蓋装置３１を示す側面図である。上昇時用蓋装置３１は、蓋本体３４、回転軸３５、連結板３６、ピン３７、一対の捻りばね３８、及び当て板３９を有している。
【００３６】
回転軸３５は、吹き出し口１２ｂの上方に水平に配置されている。蓋本体３４は、回転軸３５に支持されており、かつ回転軸３５を中心として回転可能になっている。また、蓋本体３４は、吹き出し口１２ｂに対して回転することにより、対応する吹き出し口１２ｂを開閉する。
【００３７】
ピン３７は、蓋本体３４の下端部に水平に配置されている。蓋本体３４及び連結板３６は、それぞれ矩形の平板であり、上下に並べて配置されている。連結板３６は、ピン３７を介して蓋本体３４に連結されている。また、連結板３６は、側面から見て、蓋本体３４に対して鈍角をなしている。
【００３８】
捻りばね３８は、蓋本体３４と連結板３６との連結部の両側に配置されている。蓋本体３４及び連結板３６のなす角度は、捻りばね３８の弾性変形の範囲で、大きくなる方向へ変化可能である。
【００３９】
当て板３９は、吹き出し口１２ｂの上側に垂直に配置されている。また、当て板３９は、蓋本体３４と連結板３６とを連結してなる連結体よりも大きな平板である。
【００４０】
図９〜図１２は図８の上昇時用蓋装置３１の開放動作を順に示す説明図であり、一例として最上階に配置された上昇時用蓋装置３１を示している。かご８が上昇時用蓋装置３１から離れているときには、蓋本体３４及び連結板３６は回転軸３５から吊り下げられており、蓋本体３４により吹き出し口１２ｂが閉じられている。
【００４１】
かご８が上昇し停止階に着床する直前に、図９に示すように、かご室８ａに搭載された機器であるかご側ダクト３３の上端部が連結板３６に接触する。この状態から、かご８がさらに上昇すると、図１０及び図１１に示すように、連結板３６とともに蓋本体３４が回転する。即ち、かご側ダクト３３により蓋本体３４が持ち上げられて、吹き出し口１２ｂが開放される。
【００４２】
そして、かご８が停止階に着床すると、図１２に示すように、蓋本体３４及び連結板３６が当て板３９に押し当てられ、吹き出し口１２ｂが完全に開放される。この状態では、吹き出し口１２ｂからの温風又は冷風が取り込み口３３ａに入り込む。
【００４３】
かご側ダクト３３内には、回転可能な開閉部材としての開閉板３３ｂが設けられている。開閉板３３ｂは、かご側ダクト３３内とかご室８ａ内との間の流路を開閉する。また、開閉板３３ｂは、取り込み口３３ａからかご側ダクト３３内に入り込んだ温風又は冷風により押されて回転する。これにより、かご側ダクト３３内とかご室８ａ内との間の流路が開放され、かご室８ａ内に温風又は冷風が送り込まれる。
【００４４】
かご８が停止階から離れると、蓋本体３４及び連結板３６は自重により元の位置に回転し、蓋本体３４により吹き出し口１２ｂが閉じられる。また、開閉板３３ｂは、戻しばね（図示せず）のばね力により元の位置に回転し、かご側ダクト３３内とかご室８ａ内との間の流路が閉じられる。
【００４５】
図１３は図６の下降時用蓋装置３２を拡大して示す正面図、図１４図は図１３の下降時用蓋装置３２を示す側面図である。下降時用蓋装置３２は、上昇時用蓋装置３１と同様の蓋本体３４、回転軸３５、連結板３６、ピン３７、一対の捻りばね３８、及び当て板３９を有している。
【００４６】
但し、下降時用蓋装置３２では、これらの部材が上昇時用蓋装置３１とは上下逆向きに配置されている。即ち、回転軸３５は、吹き出し口１２ｂの下方に水平に配置されている。ピン３７は、蓋本体３４の上端部に水平に配置されている。当て板３９は、吹き出し口１２ｂの下側に垂直に配置されている。
【００４７】
また、下降時用蓋装置３２は、上記の部材に加えて、ばね止め部材４０、アーム４１、及び引張ばね４２を有している。ばね止め部材４０は、吹き出し口１２ｂの近傍で建物側ダクト１２に対して固定されている。アーム４１の基端部は、蓋本体３４の側面に設定範囲内で回転可能に連結されている。
【００４８】
引張ばね４２は、アーム４１の先端部とばね止め部材４０の上端部との間に接続されている。また、引張ばね４２は、アーム４１を介して蓋本体３４を吹き出し口１２ｂに押し付けている。
【００４９】
図１５〜図２０は図１４の下降時用蓋装置３２の開放動作を順に示す説明図であり、一例として最下階に配置された下降時用蓋装置３２を示している。かご８が下降時用蓋装置３２から離れているときには、引張ばね４２のばね力により蓋本体３４が吹き出し口１２ｂに押し付けられており、吹き出し口１２ｂが閉じられている。
【００５０】
かご８が下降すると、図１５に示すように、かご室８ａの下端部が連結板３６に接触する。この状態から、かご８がさらに下降すると、図１６及び図１７に示すように、連結板３６とともに蓋本体３４が回転し、吹き出し口１２ｂが開放される。
【００５１】
この後、かご８がさらに下降すると、図１８及び図１９に示すように、蓋本体３４及び連結板３６が当て板３９に押し当てられ、吹き出し口１２ｂが完全に開放される。このとき、アーム４１及び引張ばね４２は、かご室８ａの側方に配置されており、かご室８ａと干渉することはない。
【００５２】
そして、かご８が停止階に着床すると、図２０に示すように、取り込み口３３ａが吹き出し口１２ｂに対して間隔をおいて対向し、吹き出し口１２ｂからの温風又は冷風が取り込み口３３ａに入り込む。これにより、開閉板３３ｂが回転し、かご室８ａ内に温風又は冷風が送り込まれる。
【００５３】
かご８が停止階から離れると、引張ばね４２のばね力により蓋本体３４及び連結板３６が元の位置に回転し、蓋本体３４により吹き出し口１２ｂが閉じられる。また、開閉板３３ｂは、戻しばねのばね力により元の位置に回転し、かご側ダクト３３内とかご室８ａ内との間の流路が閉じられる。
【００５４】
図２１は図５のかご８が中間階に移動した状態を示す側面図、図２２は図２１のＸＸＩＩ−ＸＸＩＩ線に沿う断面図、図２３は図２１のかご８が最上階に移動した状態を示す側面図、図２４は図２３のＸＸＩＶ−ＸＸＩＶ線に沿う断面図である。
【００５５】
かご８が上昇して中間階に停止したときには、その中間階の上昇時用蓋装置３１が開放動作し、開放された吹き出し口１２ｂから吹き出した温風又は冷風がかご室８ａ内に取り込まれる。このとき、下降時用蓋装置３２に対応する吹き出し口１２ｂは閉鎖されたままとなる。
【００５６】
かご８が下降して中間階に停止したときには、その中間階の下降時用蓋装置３２が開放動作し、開放された吹き出し口１２ｂから吹き出した温風又は冷風がかご室８ａ内に取り込まれる。このとき、上昇時用蓋装置３１に対応する吹き出し口１２ｂは閉鎖されたままとなる。他の構成は、実施の形態１と同様である。
【００５７】
このようなエレベータ装置によっても、実施の形態１と同様の効果を得ることができる。
【００５８】
なお、実施の形態２では、上昇時用蓋装置３１がかご側ダクト３３により操作されるが、かご室８ａに搭載された他の機器又はかご室８ａ自体によって操作されるようにしてもよい。
また、実施の形態２では、下降時用蓋装置３２がかご室８ａ自体によって操作されるが、かご室８ａに搭載された機器によって操作されるようにしてもよい。
【００５９】
さらに、実施の形態１、２では、簡単のため１つの中間階のみを示したが、停止階としての中間階が２以上あってもよいのは勿論である。
さらにまた、吹き出し口１２ｂは、全ての停止階に設けても、一部の停止階に設けてもよい。
また、実施の形態１、２では、空調装置１１が昇降路１の最上部に設置されているが、空調装置１１の位置はこれに限定されない。
さらに、空調装置は、エレベータ装置専用であっても建物と共用であってもよい。
さらにまた、空調装置の数は、２台以上であってもよい。
また、この発明は、機械室２を有するエレベータ装置に限らず、機械室レスエレベータにも適用できる。
【符号の説明】
【００６０】
１  昇降路、８  かご、８ａ  かご室、１１  空調装置、１２  建物側ダクト、１２ｂ  吹き出し口、１４  空気導入機構、１５  可動ダクト、１５ａ  取り込み口、１７  開放ばね、１８  閉鎖機構、１９  羽根車、２０  紐、３１  上昇時用蓋装置、３２  下降時用蓋装置、３３  かご側ダクト（かご室に搭載された機器）、３３ａ  取り込み口、３３ｂ  開閉板（開閉部材）、３４  蓋本体、３６  連結板、３８  捻りばね。
【図１】
2017171488.tif 000003
【図２】
2017171488.tif 000004
【図３】
2017171488.tif 000005
【図４】
2017171488.tif 000006
【図５】
2017171488.tif 000007
【図６】
2017171488.tif 000008
【図７】
2017171488.tif 000009
【図８】
2017171488.tif 000010
【図９】
2017171488.tif 000011
【図１０】
2017171488.tif 000012
【図１１】
2017171488.tif 000013
【図１２】
2017171488.tif 000014
【図１３】
2017171488.tif 000015
【図１４】
2017171488.tif 000016
【図１５】
2017171488.tif 000017
【図１６】
2017171488.tif 000018
【図１７】
2017171488.tif 000019
【図１８】
2017171488.tif 000020
【図１９】
2017171488.tif 000021
【図２０】
2017171488.tif 000022
【図２１】
2017171488.tif 000023
【図２２】
2017171488.tif 000024
【図２３】
2017171488.tif 000025
【図２４】
2017171488.tif 000026